(57)【特許請求の範囲】
【請求項１】
フェンスである板状部材の端部が嵌合、固定される鉛直方向に延びる第１の鉛直溝を有すると共に、その第１の鉛直溝からねじ込まれるネジ釘が突出する側に鉛直方向に延びる第２の鉛直溝を有し、前記ネジ釘の先端部分が円柱状で屋外に設置される支柱にねじ込まれることによって、その支柱に固定されると共に、前記板状部材が支柱に連結されるよう構成され、鉛直方向に長く延びる連結具であって、
前記第２の鉛直溝の断面形状を、外向きにテーパー状に拡がる台形状、三角形状、矩形状、及び円弧状のうちいずれか一つの形状とし、その溝の開口の両側の縁の位置で前記支柱に当接し挟むことが可能で、しかも支柱を挟んで当接した状態で、支柱との間に、前記ネジ釘のねじ込みによって生成されるバリ及び前記支柱との間に入る雨水を鉛直方向に排出する、鉛直方向に延びる空間部が生じるように形成し、さらに前記空間部に前記ネジ釘を貫通させたことを特徴とする連結具。
【請求項２】
フェンスである板状部材の端部が嵌合、固定される鉛直方向に延びる第１の鉛直溝を有すると共に、その第１の鉛直溝からねじ込まれるネジ釘が突出する側に鉛直方向に延びる第２の鉛直溝を有し、前記ネジ釘の先端部分が円柱状の支柱にねじ込まれることによって、その支柱に固定されると共に、前記板状部材が支柱に連結されるよう構成され、前記第２の鉛直溝の断面形状を、外向きにテーパー状に拡がる台形状、三角形状、矩形状、及び円弧状のうちいずれか一つの形状とし、その溝の開口の両側の縁の位置で前記支柱に当接し挟むことが可能で、しかも支柱を挟んで当接した状態で、支柱との間に、鉛直方向に延びる空間部が生じるように形成した連結具を使用した連結方法であって、
屋外に設置され、地面に固定された前記支柱に、前記連結具を対向させた後、
前記連結具の第２の鉛直溝の開口の両側の縁の位置で、前記支柱との間に前記空間部が生じるように前記支柱を挟み、
前記連結具の第１の鉛直溝から前記ネジ釘をねじ込んでその先端部分を前記第２の鉛直溝側に突出させるとともに、前記支柱との間に形成される前記空間部を貫通させて、前記支柱にねじ込んで前記連結具を前記支柱に固定した後、
前記連結具の第１の鉛直溝に、前記板状部材の端部を嵌合させて固定するようにし、
前記ネジ釘のねじ込みによって生成されるバリ及び前記支柱との間に入る雨水を、前記空間部から鉛直方向に排出するようにしたことを特徴とする連結具を使用した連結方法。
【発明の詳細な説明】
【０００１】
【発明の属する技術分野】
本発明は、例えば、庭、デッキ等の周囲に設置されるフェンス等の、コーナー等に立設される支柱への固定のために用いられる連結具に関するものである。
【０００２】
【従来の技術】
従来、例えば、庭、デッキ等の周囲に設置されるフェンス等のコーナーや中間に用いられる連結具は、その開き角度が一般に直角又は１８０°になるよう構成されていて、それ以外の開き角度の比較的使用頻度の少ないものは、生産数が少ないか、特注品となって、コスト高となるという問題があった。
【０００３】
その課題に対して、任意の開き角度に対応可能に、(円柱状の)支柱と,その支柱に回転不能に(ネジ釘等で)支持され、フェンスの端部と係合する第１の係合片と，前記支柱に(連結された状態でも)回転可能に支持され、フェンスの端部と係合する凹部を有する第２の係合片とを備えたもの、さらにその第２の係合片の上端面には、前記支柱の上端面に軸を介して回転可能に(ネジ釘等で)支持されたプレートが(ネジ釘等で)支持されたもの等(特開平９−３２３６５号公報)が提案されている。
【０００４】
上記従来例は、第２の係合片が支柱に回転可能に支持されていることについての効果が記載されているが、そのためには、その実施の形態例に記載のように、それが支持される支柱は、それに固定された第１の係合片の凹部が隣接する支柱の第１又は第２の係合片の凹部と対向するよう回転され、向きが調整されるまで、支柱のブロック等への固定が出来ず、また、第２の係合片も支持された支柱にネジ釘等で固定されなければ、第２の係合片が回転するため、そのままでは、それに係合されたフェンスががたつくという問題点があった。
【０００５】
従って、従来例の効果は、施工者が、第２の係合片の高さ方向の位置決めの必要なしに、その向きの調整、支柱へのネジ等による固定が可能であるというだけに過ぎなかった。
【０００６】
さらに通常設置場所は屋外であって、支柱に乾燥収縮、割れの発生や雨水吸収に伴う膨張等による形状・寸法り狂いが生じたときには、フェンスにがたつきが発生すること、断面円弧状の係合片の凹部が支柱に密着するよう構成されているため、ネジ釘のねじ込みに伴ってバリが生成すると係合片が浮き上がって、がたつき易いこと、また、支柱と係合片との僅かな隙間から入った雨水が排出され難く、その部分が腐食し易いこと等の問題が残る。
【０００７】
【発明が解決しようとする課題】
そこで本発明の目的とするところは、上記従来例の欠点を解消した、構造が簡単且つ安価であって、形状、寸法の種類が少なく、大量生産に適し、加工が容易であって、部品数も少なく、安価で、且つ施工も容易で、がたつき、腐食を生じ難い連結具を提供することにある。
【０００８】
【課題を解決するための手段】
上記の目的を達するために、請求項１の発明の連結具は、フェンスである板状部材（３０）の端部が嵌合、固定される鉛直方向に延びる第１の鉛直溝（１１，１１１，２１１）を有すると共に、その第１の鉛直溝（１１，１１１，２１１）からねじ込まれるネジ釘（Ｎ）が突出する側に鉛直方向に延びる第２の鉛直溝（Ｍ）を有し、前記ネジ釘（Ｎ）の先端部分が円柱状で屋外に設置される支柱（２０）にねじ込まれることによって、その支柱（２０）に固定されると共に、前記板状部材（３０）が支柱（２０）に連結されるよう構成され、鉛直方向に長く延びる連結具であって、前記第２の鉛直溝（Ｍ）の断面形状を、外向きにテーパー状に拡がる台形状、三角形状、矩形状、及び円弧状のうちいずれか一つの形状とし、その溝（Ｍ）の開口の両側の縁の位置で前記支柱（２０）に当接し挟むことが可能で、しかも支柱（２０）を挟んで当接した状態で、支柱（２０）との間に、前記ネジ釘（Ｎ）のねじ込みによって生成されるバリ及び前記支柱（２０）との間に入る雨水を鉛直方向に排出する、鉛直方向に延びる空間部（Ｈ）が生じるように形成し、さらに前記空間部（Ｈ）に前記ネジ釘（Ｎ）を貫通させたことを特徴とする。
【００１０】
また請求項２の発明の連結具を使用した連結方法は、フェンスである板状部材（３０）の端部が嵌合、固定される鉛直方向に延びる第１の鉛直溝（１１，１１１，２１１）を有すると共に、その第１の鉛直溝（１１，１１１，２１１）からねじ込まれるネジ釘（Ｎ）が突出する側に鉛直方向に延びる第２の鉛直溝（Ｍ）を有し、前記ネジ釘（Ｎ）の先端部分が円柱状の支柱（２０）にねじ込まれることによって、その支柱（２０）に固定されると共に、前記板状部材（３０）が支柱（２０）に連結されるよう構成され、前記第２の鉛直溝（Ｍ）の断面形状を、外向きにテーパー状に拡がる台形状、三角形状、矩形状、及び円弧状のうちいずれか一つの形状とし、その溝（Ｍ）の開口の両側の縁の位置で前記支柱（２０）に当接し挟むことが可能で、しかも支柱（２０）を挟んで当接した状態で、支柱（２０）との間に、鉛直方向に延びる空間部（Ｈ）が生じるように形成した連結具（１０）を使用した連結方法であって、屋外に設置され、地面に固定された前記支柱（２０）に、前記連結具（１０）を対向させた後、前記連結具（１０）の第２の鉛直溝（Ｍ）の開口の両側の縁の位置で、前記支柱（２０）との間に前記空間部（Ｈ）が生じるように前記支柱（２０）を挟み、前記連結具（１０）の第１の鉛直溝（１１，１１１，２１１）から前記ネジ釘（Ｎ）をねじ込んでその先端部分を前記第２の鉛直溝（Ｍ）側に突出させるとともに、前記支柱（２０）との間に形成される前記空間部（Ｈ）を貫通させて、前記支柱（２０）にねじ込んで前記連結具（１０）を前記支柱（２０）に固定した後、前記連結具（１０）の第１の鉛直溝（１１，１１１，２１１）に、前記板状部材（３０）の端部を嵌合させて固定するようにし、前記ネジ釘（Ｎ）のねじ込みによって生成されるバリ及び前記支柱（２０）との間に入る雨水を、前記空間部（Ｈ）から鉛直方向に排出するようにしたことを特徴とする。
【００１１】
なお、括弧内の記号は図面及び後述する発明の実施の形態に記載された記号に対応する。
【００１２】
本発明によれば、従来例のものと比較して形状、寸法の種類が少なく、大量生産に適し、加工が容易であって、部品数も少なく、安価である。そのうえ、施工に当っては、先ず各コーナー等に支柱が、例えば、地面、床材、ブロック等に固定される。支柱は円柱状であるため、鉛直であれば、その向きは関係ない。そして各支柱に対して、連結具が、隣接する支柱に対向するよう(例えば隣接する支柱の上面中心間に張られた糸に合せて)、その第１の鉛直溝の向き、高さが調整され、ネジ釘で固定されるため、施工は極めて単純、容易である。
【００１３】
また、支柱に対して連結具は、第２の鉛直溝の開口の両側の縁の位置で当接し、固定され、両者間に空間部を設けるようにしてあるため、支柱が乾燥収縮、割れの発生や雨水吸収に伴う膨張等で形状・寸法が狂っても、人目につきやすい両側の当接部分に隙間を生じることもなく、良好な外観に施工できる。また、ネジ釘のねじ込みに伴って生成したバリは、空間部に排出されるか、落下するだけで、連結具を圧迫することはなく、それによってがたつきを生じることもない。さらに、連結具と支柱との間の空間部に入った雨水は、すぐに排出されるか、蒸発するため、その部分が腐食することはない。
【００１４】
また本発明によれば、第２の鉛直溝の断面形状を円弧状にしたので、丸みがあり美観的に優れる。また第２の鉛直溝の断面形状を外向きにテーパー状に拡がる台形状又は三角形状又は矩形状にしたので、常用の安価な刃物で容易に加工可能で、特注等によるサイズの変更にも対応でき、専用の刃物が必要な円弧状の断面形状を採用するより利点が多い。
【００１６】
【発明の実施の形態】
本発明の連結具の実施の形態例を図１を参照にして説明する。図１（ａ）は組み立て後の状態を示す断面図、図１（ｂ）は組み立て中の状態を示す断面図である。
【００１７】
すなわち、この鉛直方向に長い等断面の連結具１０は、フェンス等の板状部材３０が嵌合、固定される断面コ字状（特に限定されるものではない）の第１の鉛直溝１１を有すると共に、その第１の鉛直溝１１からねじ込まれたネジ釘Ｎ（鉛直方向に複数本配置）が突出する側に第２の鉛直溝Ｍを有し、ネジ釘Ｎの先端部分が円柱状の支柱２０にねじ込まれることによって、支柱２０に固定される。それによって、第１の鉛直溝１１に嵌合、固定された板状部材３０が支柱２０に連結される。
なお図１では、１対の連結具１０，１０の開き角度が、支柱２０に対して１２０°（度）になるような向きに支柱２０に固定されているが、その開き角度は９０〜１８０°（度）まで任意に選択可能である。
【００１８】
しかも、各連結具１０の第２の鉛直溝Ｍの断面形状を、その溝Ｍの開口の両側の縁又はその縁寄りの位置で支柱２０に当接し挟むことが可能で、しかも支柱２０を挟んで当接した状態で、支柱２０との間に空間部Ｈが生じるように形成している。より具体的には、第２の鉛直溝Ｍの断面形状は、支柱２０側となる外向きにテーパー状に拡がる台形状に形成されている。
【００１９】
このように構成された連結具１０は、形状、寸法の種類が１種類であって、大量生産に適し、第２の鉛直溝Ｍの断面形状が開口を含めて台形状であるため、常用の安価な刃物で容易に加工可能で、特注等によるサイズの変更にも対応でき、専用の刃物が必要な円弧状の断面形状を採用するより利点が多い。
【００２０】
施工に当っては、先ず各コーナーや中間に支柱２０が、例えば地面、床材、ブロック等に固定される。次いで各支柱２０に対して、連結具１０が、隣接する支柱（図示省略）に対向するよう（例えば隣接する支柱の上面中心間に張られた糸に合せて)、その第１の鉛直溝１１の向き、高さが調整され、ネジ釘Ｎで固定されるため、施工は極めて単純、容易である。
【００２１】
以上のように各隣接する支柱２０（他方の支柱は図示省略）にそれぞれ固定された１対の連結具１０の第１の鉛直溝１１に板状板材３０の端部（以上いずれも他方の支柱の側は図示省略）が差込まれるが、各連結具１０は支柱２０に固定されているため、板状部材３０ががたつくことはない。
【００２２】
さらに、各連結具１０は、第２の鉛直溝Ｍの開口の両側の縁又はそれらに近い位置で当接し、固定され、支柱２０との間に空間部Ｈが形成されているため、支柱２０に乾燥収縮、割れの発生や雨水吸収に伴う膨張等があって、その形状・寸法が狂っても、人目につきやすい両側の当接部分に隙間を生じることもなく、良好な外観に施工できる。
【００２３】
また、ネジ釘Ｎのねじ込みに伴って生成したバリは、空間部Ｈに排出されるか、落下するだけで、連結具１０，支柱２０を圧迫することはなく、それによってがたつきを生じることもない。さらに、連結具１０と支柱２０との間の空間部Ｈに入った雨水は、すぐに排出されるか、蒸発するため、その部分が腐食することはない。
【００２４】
次に図２に他の実施形態例に係る連結具１１０を示した。なお、図１と同じ部分には同一の記号を使用した。
これは、第２の鉛直溝Ｍの断面形状を多角形でなく、開口を含めて部分円、すなわち円弧状にしたものであり、丸みによって美観的に優れるようにしたものである。この場合でも、連結具１１０と支柱２０との間に空間部Ｈを形成し、支柱２０を挟むことができるように、連結具１１０の第２の鉛直溝Ｍの曲率半径を、支柱２０の半径よりも小さくしてある。
【００２５】
次に図３に他の実施形態例に係る連結具２１０を示した。なお、図１と同じ部分には同一の記号を使用した。
これは、第２の鉛直溝Ｍの断面形状を、開口を含めて三角形状にしたものであるので、常用の安価な刃物で容易に加工可能で、特注等によるサイズの変更にも対応でき、専用の刃物が必要な円弧状の断面形状を採用するより利点が多い。
この場合でも、連結具２１０と支柱２０との間に空間部Ｈを形成し、支柱２０を挟むことができるようにしてある。ここでは、第２の鉛直溝Ｍの断面形状を直角二等辺三角形状にしたが、直角や二等辺に限られるものではない。
【００２６】
また、第２の鉛直溝Ｍの断面形状を矩形状にすることもできる。かかる場合に、支柱２０に当接し挟みこむには、第２の鉛直溝Ｍを有する連結具の横幅が大きくなるが実行可能である。
【００２７】
【発明の効果】
本発明によれば、従来例のものと比較して形状、寸法の種類が少なく、大量生産に適し、加工が容易であって、部品数も少なく、安価である。そのうえ、施工に当っては、先ず各コーナー等に支柱が、例えば、地面、床材、ブロック等に固定される。支柱は円柱状であるため、鉛直であれば、その向きは関係ない。そして各支柱に対して、連結具が、隣接する支柱に対向するよう(例えば隣接する支柱の上面中心間に張られた糸に合せて)、その第１の鉛直溝の向き、高さが調整され、ネジ釘で固定されるため、施工は極めて単純、容易である。
【００２８】
また、支柱に対して連結具は、第２の鉛直溝の開口の両側の縁の位置で当接し、固定され、両者間に空間部を設けるようにしてあるため、支柱が乾燥収縮、割れの発生や雨水吸収に伴う膨張等で形状・寸法が狂っても、人目につきやすい両側の当接部分に隙間を生じることもなく、良好な外観に施工できる。また、ネジ釘のねじ込みに伴って生成したバリは、空間部に排出されるか、落下するだけで、連結具を圧迫することはなく、それによってがたつきを生じることもない。さらに、連結具と支柱との間の空間部に入った雨水は、すぐに排出されるか、蒸発するため、その部分が腐食することはない。
【００２９】
また本発明によれば、第２の鉛直溝の断面形状を円弧状にしたので、丸みがあり美観的に優れる。また第２の鉛直溝の断面形状を外向きにテーパー状に拡がる台形状又は三角形状又は矩形状にしたので、常用の安価な刃物で容易に加工可能で、特注等によるサイズの変更にも対応でき、専用の刃物が必要な円弧状の断面形状を採用するより利点が多い。
【図面の簡単な説明】
【図１】本発明の実施の形態例を示すものであって、（ａ）は組み立て前の状態を示す断面図、（ｂ）は組み立て中の状態を示す断面図である。
【図２】他の実施の形態例を示す断面図である。
【図３】他の実施の形態例を示す断面図である。
【符号の説明】
１０  連結具
１１  第１の鉛直溝
２０  支柱
３０  板状部材
１１０  連結具
１１１  第１の鉛直溝
２１０  連結具
２１１  第１の鉛直溝
Ｈ  空間部
Ｍ  第２の鉛直溝
Ｎ  ネジ釘
【図１】
0004137463.tif 000002
【図２】
0004137463.tif 000003
【図３】
0004137463.tif 000004